(57)【特許請求の範囲】
【請求項１】
フェザリング軸（36）をもつヘリコプターの回転翼（２）の実際の内側及び外側の翼弦方向モーメントを決定するための静的釣り合わせアセンブリにおいて、
回転翼（２）の内側前縁（30）のコーナー近くに位置付けされた第１の計量はかり（8IBLE、9IBLE）と、
回転翼（２）の内側後縁（20）のコーナー近くに位置付けされた第２の計量はかり（8IBTE、9IBTE）と、
回転翼（２）の外側前縁（30）のコーナー近くに位置付けされた第３の計量はかり（8OBLE、9OBLE）と、
回転翼（２）の外側後縁（20）のコーナー近くに位置付けされた第４の計量はかり（8OBTE、9OBTE）と、
を含み、
前記第１及び第２の計量はかり（8IBLE、9IBLE;8IBTE、9IBTE）は、回転翼（２）の実際の内側翼弦方向モーメント（IBMchordwise）を決定するために内側重量値（WIBLE、WIBTE）を提供する内側翼弦方向手段を形成し、
前記第３及び第４の計量はかり（8OBLE、9OBLE;8OBTE、9OBTE）は、回転翼（２）の実際の外側翼弦方向モーメント（OBMchordwise）を決定するために外側重量値（WOBLE、WOBTE）を提供する外側翼弦方向手段を形成して、
前記内側及び外側翼弦方向手段（8IBLE、9IBLE;8IBTE、9IBTE;;8OBLE、9OBLE;8OBTE、9OBTE）に連結され、前記内側及び外側重量値（WIBLE、WIBTE;WOBLE、WOBTE）を利用して回転翼（２）の実際の内側及び外側翼弦方向モーメント（IBMchordwise;OBMchordwise）を決定するべく作動可能なマイクロプロセッサ（MPR）を有すること
を特徴とする静的釣り合わせアセンブリ。
【請求項２】
前記第１の計量はかり（8IBLE、9IBLE）は、回転翼（２）のフェザリング軸（36）から前縁（30）側に向かって距離C1だけオフセットされており、
前記第２の計量はかり（8IBTE、9IBTE）は、回転翼（２）のフェザリング軸（36）から後縁（20）側に向かって距離C2だけオフセットされており、
前記第３の計量はかり（8OBLE、9OBLE）は、回転翼（２）のフェザリング軸（36）から前縁（30）側に向かって距離C3だけオフセットされており、
前記第４の計量はかり（8OBTE、9OBTE）は、回転翼（２）のフェザリング軸から後縁（20）側に向かって距離C4だけオフセットされており、
前記マイクロプロセッサ（MPR）は、
IBMchordwise＝WIBLE×C1−WIBTE×C2;         （１）
OBMchordwise＝WOBLE×C3−WOBTE×C4;         （２）
という等式を解くことによって実際の内側及び外側翼弦方向モーメント（IBMchordwise;OBMchordwise）を決定するべくプログラムされており、
この式中、
WIBLEは、前記第１の計量はかり（8IBLE、9IBLE）により記録された重量、
WIBTEは、前記第２の計量はかり（8IBTE、9IBTE）により記録された重量、
WOBLEは、前記第３の計量はかり（8OBLE、9OBLE）により記録された重量、
WOBTEは、前記第４の計量はかり（8OBTE、9OBTE）により記録された重量であることを特徴とする請求の範囲第１項に記載の静的釣り合わせアセンブリ。
【請求項３】
前記マイクロプロセッサ（MPR）は、回転翼（２）の目標内側翼弦方向モーメント（MCIB）及び目標外側翼弦方向モーメント（MCOB）に達するのに必要とされる回転翼（２）の内側及び外側重量の補正（WPIB、WPOB）を計算するようにプログラムされており、前記内側及び外側の目標翼弦方向モーメント（MC IB、MC OB）が、回転翼（２）の翼弦方向空力釣り合いを達成するように設計されていることを特徴とする、請求の範囲第２項に記載の静的釣り合わせアセンブリ。
【請求項４】
前記マイクロプロセッサ（MPR）は、
WPIB＝WIBLE×C1−WIBTE×C2±MCIB            （３）
WPOB＝WOBLE×C3−WOBTE×C4±MCOB            （４）
という等式を解くことによって前記内側及び外側重量の補正（WPIB、WPOB）を計算するようにプログラムされており、ここで式中、
MCIBは、前記目標内側翼弦方向モーメント、
WPIBは、前記MCIBを達成するのに必要とされる前記内側重量補正、
MCOBは、前記目標外側翼弦方向モーメント、
WPOBは、MCOBを達成するのに必要とされる前記外側重量補正であることを特徴とする請求の範囲第３項に記載の静的釣り合いアセンブリ。
【請求項５】
前記第１及び第３の計量はかり（8IBLE、9IBLE;8OBLE、9OBLE）が、回転翼（２）の実際の前縁翼幅方向モーメントを決定するために前記前縁重量値（WIBLE、WOBLE）を提供する前縁手段を形成し、
前記第２及び第４の計量はかり（8IBTE、9IBTE;8OBTE、9OBTE）が、回転翼（２）の実際の前記後縁翼幅方向モーメントを決定するために前記後縁重量値（WIBTE、WOBTE）を提供する後縁手段を形成し、
前記マイクロプロセッサ（MPR）が、前記前縁及び後縁手段（8IBLE、9IBLE;8OBLE、9OBLE;;8IBTE、9IBTE;8OBTE、9OBTE）に連結され、前縁及び後縁重量値（WIBLE、WOBLE）;WIBTE、WOBTE）を利用して前記実際の前縁及び後縁翼幅方向回転翼モーメントを決定するように作動することを特徴とする、請求の範囲第４項に記載の静的釣り合わせアセンブリ。
【請求項６】
前記第１及び第２の計量はかり（8IBLE、9IBLE;8IBTE、9IBTE）が、回転翼（２）の回転軸を表す基準線（38）からr1という距離だけ離隔し、
前記第３及び第４の計量はかり（8OBLE、9OBLE;8OBTE、9OBTE）が前記基準線（38）からr2という距離だけ離隔しており、
前記マイクロプロセッサ（MPR）は、
0003589672.tif 000002
という等式を解くことによって前記実際の前縁及び後縁翼方向回転翼モーメントを決定し、ここで式中、
Mspanwiseは、回転翼（２）の実際の翼幅方向モーメントであることを特徴とする、請求の範囲第５項に記載の静的釣り合わせアセンブリ。
【請求項７】
前記マイクロプロセッサ（MPR）が、回転翼（２）の目標翼幅方向モーメントに達するのに必要とされる回転翼（２）の内側及び外側翼幅方向重量の補正を計算するようにプログラムされており、この目標翼幅方向モーメントが回転翼（２）の翼幅方向空力釣り合いを達成するように設計されている、ことを特徴とする、請求の範囲第６項に記載の静的釣り合わせアセンブリ。
【請求項８】
前記マイクロプロセッサ（MPR）が、
Mspanwise(reqd)＝Mspanwise±W36×rs
という等式を解くことによって前記翼幅方向重量の補正を計算するようにプログラムされており、この式中、
Msspanwise(reqd)は、翼（２）の所要最終翼幅方向モーメントであり、
W36は、フェザリング軸（36）において付加又は除去されるべき重量であり、
rsは、基準せん（38）からのW36の翼幅方向距離であることを特徴とする、請求の範囲第７項に記載の静的釣り合わせアセンブリ。
【請求項９】
前記第１及び第２の計量はかり（8IBLE、9IBLE;8IBTE、9IBTE）上で回転翼（２）の内側部分を支持する内側支持部材（14）と、
前記第３及び第４の計量はかり（8OBLE、9OBLE;8OBTE、9OBTE）上で回転翼（２）の外側部分を支持する外側支持部材（14）と、
これらの内側及び外側支持部材（14）が各々、回転翼（２）のそれぞれの支持された表面（18）に適合するように輪郭取りされた表面（16）を有していること、を特徴とする請求の範囲第１項に記載の静的釣り合いアセンブリ。
【請求項１０】
前記内側及び外側支持部材（14）と心合わせされた組合せ状態に回転翼（２）を暫定的に締め付けるための位置設定用ピン（24）を特徴とする、請求の範囲第９項に記載の静的釣り合わせアセンブリ。
【請求項１１】
前記内側及び外側支持部材（14）を保持するための持ち上げ手段（10）を有し、
この持ち上げ手段（10）は、前記対応する計量はかり（8IBLE、9IBLE;8IBTE、9IBTE;;8OBLE、9OBLE;8OBTE、9OBTE）に対して前記それぞれの内側及び外側支持部材（14）を選択的に下降及び上昇させるように作動することとを特徴とする請求の範囲第９項に記載の静的釣り合わせアセンブリ。
【請求項１２】
回転翼（２）の作動上の翼弦及び翼幅方向の釣り合わせを提供するべく、ヘリコプタ回転翼（２）の重量分布を静的に調整する方法において、
回転翼（２）の実際の内側及び外側翼弦方向モーメント（IBMchordwise;OBMchordwise）を決定する段階と、
翼（２）の前記実際の内側及び外側翼弦方向モーメント（IBMchordwise;OBMchordwise）を翼（２）の目標内側及び外側翼弦方向モーメントに適合させるべく必要に応じて回転翼（２）上で翼弦方向に内側及び外側重量を付加又は削除する段階と、
翼（２）の適合された目標弦方向翼モーメントの結果としてもたらされる実際の前縁及び後縁翼幅方向翼モーメントを決定する段階と、
実際の翼幅方向モーメントに適合させるべく必要に応じて回転翼（２）上で翼幅方向に内側及び外側重量を付加又は削除する段階と、
を含む方法。
【請求項１３】
ヘリコプターの回転翼構成要素の実際の内側及び外側の翼弦方向モーメントを静的に決定する静的釣り合わせアセンブリにおいて、
構成要素の内側前縁コーナー近くに位置付けされた第１の計量はかり（8IBLE、9IBLE）と、
構成要素の内側後縁コーナー近くに位置付けされた第２の計量はかり（8IBTE、9IBTE）と、
構成要素の外側前縁コーナー近くに位置付けされた第３の計量はかり（8OBLE、9OBLE）と、
構成要素の外側後縁コーナー近くに位置付けされた第４の計量はかり（8OBTE、9OBTE）と、
と含み、
前記第１及び第２の計量はかり（8IBLE、9IBLE;8IBTE、9IBTE）は、構成要素の実際の内側翼弦方向モーメントを決定するべく内側重量値を提供する内側翼弦方向手段を形成し、
前記第３及び第４の計量はかり（8OBLE、9OBLE;8OBTE、9OBTE）は、構成要素の実際の翼弦方向外側モーメントを決定するために外側重量値を提供する外側翼弦方向手段を形成し、
前記内側及び外側翼弦方向手段（8IBLE、9IBLE;8IBTE、9IBTE;8OBLE、9OBLE;8OBTE、9OBTE）に連結され、前記内側及び外側重量値を利用して構成要素の前記実際の内側及び外側翼弦方向のモーメントを決定するべく作動するマイクロプロセッサ（MPR）を含んでいることを特徴とする、静的釣り合わせアセンブリ。
【請求項１４】
構成要素の作動上の翼弦及び翼幅方向の釣り合いを提供するべく、ヘリコプタ回転翼構成要素の重量分布を静的に調整する方法において、
構成要素の実際の内側及び外側翼弦方向モーメントを決定する段階と、
構成要素の前記実際の内側及び外側翼弦方向翼モーメントを構成要素の目標内側及び外側翼弦方向モーメントに適合させるべく必要に応じて構成要素上で翼弦方向に内側及び外側重量を付加又は削除する段階と、
構成要素の適合された目標翼弦方向モーメントの結果としてもたらされる構成要素の実際の前縁及び後縁翼幅方向モーメントを決定する段階と、
構成要素の実際の翼幅方向モーメントを構成要素の目標前縁及び後縁翼幅方向モーメントに適合させるべく必要に応じて構成要素上で翼幅方向に内側及び外側重量を付加又は削除する段階と、
を含むことを特徴とする方法。
【発明の詳細な説明】
技術分野
本発明は、ヘリコプター上で適切に機能するようにヘリコプターの回転翼を釣り合わせるための方法及び装置に関する。
背景技術
ヘリコプターの回転翼は、それらが使用される動的環境内で適切に作動するためには、ヘリコプター内に高レベルの振動を引き起こすことがないように適切な釣り合いがとられていなければならない。回転翼は、通常、桁、前縁被覆、後縁ポケット対を含む多要素アセンブリで製造される。これらの桁等は、翼毎にその重量又は質量が変動し得るが、各翼で等しく釣り合いをとることが求められる。翼アセンブリは、標準的には、接着剤フィルム層を用いて前述の構成要素を接着することによって製造される。このような多くの構成要素を用いて回転翼を形成することの結果として、翼毎に重量分布の変動が存在することになる。回転翼が適切な性能を発揮するためには、翼の重量分布及び結果として得られるモーメントは、根元から先端まで翼の長さ又は幅に沿ってと同様、その前縁から後縁まで翼弦方向又は縁部方向においても、目標重量分布及びモーメントを限定する所望の基準を満たしていなくてはならない。
所望のモーメントは、前縁及び後縁の両方における翼の根端とその先端の間の翼長重量比、及び翼の根端及び先端の両方における翼弦重量比として限定できる。このような所定の重量分布基準を達成することによって、結果としてその意図された環境内で適切に作動する「釣り合いのとれた」回転翼が得られることになる。従って、各々の回転翼を重量分布について個別にチェックし、「釣り合い」状態にすること、換言すると、最適な根元−先端翼モーメント及び前縁−後縁翼モーメント、ひいては回転翼の適切な作動を生じて所望の理想的重量分布に適合させることが必要である。
前述の手順は、２つの異なる釣り合わせ装置を必要とすることから時間のかかるものである。翼内の翼幅方向及び翼弦方向モーメントを両方とも決定するのに同じ装置を使用して、単一の釣り合わせ手順を用いて単一の釣り合わせ装置にて翼幅方向（spanwise）及び翼弦方向（chordwise）の両方で翼を釣り合わせできることが望ましい。
発明の開示
本発明の１つの目的は、ヘリコプターの回転翼の実際の内側及び外側翼弦方向モーメントを決定するための静的釣り合わせアセンブリを提供することにある。
本発明のこの目的は、回転翼の内側前縁コーナーの近くに位置付けされた第１の計量はかり、回転翼の内側後縁コーナーの近くに位置付けされた第２の計量はかり、回転翼の外側前縁コーナーの近くに位置付けされた第３の計量はかり及び回転翼の外側後縁コーナーの近くに位置付けされた第４の計量はかりを特徴とする、静的釣り合わせアセンブリによって得られる。
第１及び第２の計量はかりは、組合わさって、回転翼のために実際の内側翼弦方向モーメントを決定するための内側重量値を提供する内側翼弦方向手段を形成する。第３及び第４の計量はかりは、組合わさって、回転翼のために実際の外側翼弦方向モーメントを決定するための外側重量値を提供する外側翼弦方向手段を形成する。
内側及び外側翼弦方向手段には、マイクロプロセッサが接続されており、これは内側及び外側重量値を利用して回転翼の実際の内側及び外側翼弦方向モーメントを決定すべく作動する。
本発明の他の目的は、ヘリコプター回転翼の実際の内側及び外側翼弦方向モーメントを決定するための静的釣り合わせアセンブリを提供することにある。
本発明のこの目的は、前項に記載された静的釣り合わせアセンブリによって得られる。第１及び第３の計量はかりは、回転翼の実際の前縁翼幅方向モーメントを決定するために前縁重量値を提供する前縁手段を形成する。第２及び第４の計量はかりは、回転翼の実際の後縁翼幅方向モーメントを決定するために後縁重量値を提供する後縁手段を形成する。
マイクロプロセッサは、前縁及び後縁手段に接続されており、前縁及び後縁重量値を利用して回転翼の実際の前縁及び後縁翼幅方向モーメントを決定するべく作動する。
本発明のもう１つの目的は、上述の静的釣り合わせ装置を用いて翼弦方向及び翼幅方向の両方でヘリコプタ回転翼を静的に釣り合わせる方法を提供することにある。
本発明のこの目的は、回転翼の実際の内側及び外側翼弦方向モーメントを決定する段階、回転翼の実際の内側及び外側翼弦方向モーメントを回転翼の目標内側及び外側翼弦方向モーメントに適合させるための必要性に応じて回転翼上で内側及び外側重量を翼弦方向に付加又は削除する段階、翼の適合された目標内側及び外側翼弦方向モーメントの結果としてもたらされる翼の実際の前縁及び後縁翼幅方向モーメントを決定する段階、及び実際の前縁及び後縁翼幅方向モーメントを翼の目標前縁及び後縁翼幅方向モーメントに適合させる必要性に応じて回転翼上で翼幅方向に内側及び外側重量を付加又は削除する段階、を含む方法によって達成される。
【図面の簡単な説明】
図１は、回転翼の翼弦方向から見た、本発明を実施するのに使用される静的釣り合わせアセンブリの一実施形態の立面図である。
図２は、回転翼の翼幅方向から見た、図１の静的釣り合わせアセンブリの断片的側面立面図である。
図３は、計量はかりの位置設定、及び実際の翼モーメント値を計算するため、及び所望の作動モーメント値に到達するのに必要とする翼重量分布の変更を計算するのに使用される、基準パラメータを示す、翼の概略的平面図である。
図４は、図１の装置の中の様々な構成要素の概略的システムダイヤグラムである。
発明の最良の実施形態
ここで図面を参照すると、図１及び図２には、本発明に従って、全体として符号２で表されているヘリコプター回転翼を釣り合わせるように作動する静的釣り合わせアセンブリの、それぞれ断片的な翼弦方向及び翼幅方向の縁部の図が示されている。この静的釣り合わせアセンブリには、複数のテーブル６が配置されている支持ベンチ４が含まれている。各々のテーブル６は、図１及び２には示されていないマイクロプロセッサと作動的に接続され、このマイクロプロセッサにデータ信号を供給する１対の別々の点はかり８を支持している。はかり８は、好ましくは、TOLEDO 19985型のはかり（TOLEDOは、計測装置及び測定値表示装置に関するオハイオ州、ウィースイントンのトレド  スケール  コーポレーション「Toledo Scale Corporation、Worthington、OH」の登録商標である）又はそれと同等の高精度はかりである。各々のはかり８には、図２に示されているようなプレート接触素子又ははかり点９が備わっている。はかり点９は、好ましくは、各々のはかり点が計量対象の物体との間に単一の接触点を有効に提供するように球形、半球形等々の形状をもつ。
ベンチ４上には複数の空気ジャッキ10も配置されており、これらのジャッキは、はかり８よりも上にあってこれと重なるプレート１と作動可能な形に連結されている。ジャッキ10を操作することによって、プレート12を、選択的にはかり８のはかり点９上に下降させたり、ここから上昇させたりすることができる。
静的釣り合いアセンブリはまた、複数の回転翼支持部材14も含んでいる。支持部材14は、強化又は剛化ファイバグラス複合材で形成され、各々の支持部材14は、それぞれの部材14によって係合される翼２上の表面部分18の輪郭に一致する正確に輪郭取りされた上部表面16を有している。支持部材14は、翼のたわみを防ぎながら、同時に正確な翼モーメント読み取り値を得るべく部材14のアセンブリ重量への影響度を最小限に抑えながら、強度及び剛性を提供するように作動可能である。
翼２の後縁20には、支持部材14の中の整合用開口部26内で、或いは図２に示されているように支持部材14の側面28と係合することによって、支持部材14と係合するように作動可能である位置設定用ピン24を収容する位置設定用穴22を具備することができる。位置設定用ピン24はかくして、静的釣り合わせアセンブリ上に翼（２）を適切に位置付けするように作動する。位置設定用ピン24はまた、支持部材14に対して翼２を締め付ける機能もできる。この結果、はかり８に相対する翼のコーナーの所望の位置付けを達成することができる。このことは又、釣り合いプロセス中に翼２の残りの部分に翼の外板をピン留めする役目も果たす。
回転翼の翼弦方向モーメントの読み取り値は、以下により詳細に説明するとおり、翼２のフェザリング軸からの各々のはかり８上の重量支持点の距離を考慮に入れて、４つのはかり８の各々の上に表示される重量を記録することによって得られる。はかり８は、４対の翼重量データ収集点を形成し、これらの点から、回転翼の重量分布を変更する必要性を確認することができる。回転翼２は、前縁−先端コーナー；後縁−先端コーナー；前縁−根元コーナー；及び後縁−根元コーナーという４つのモーメント限定点を有する。
４つのはかり８は、TOLEDO 8146型卓上表示インジケータ又はそれに類するもの、及びマイクロプロセッサに作動的に接続されており、このマイクロプロセッサは、（ｉ）収集した重量データを分析し；（ii）回転翼２の実際のモーメントを計算し、（iii）適切な釣り合いを達成するのに付加的な重量を付加又は除去しなければならない翼２上の場所及び量を識別するように予めプログラムされている。マイクロプロセッサ内に予めプログラムされている情報は、複数の対になった翼重量データ収集点の間で所望の重量比、及び実際の重量比がひとたび確認された時点で、所望の又は目標の重量比を達成すべく翼重量を修正するように作動するアルゴリズムである。４つのコーナー重量比が、実際のもの、所望の（目標）のもの、の両方の、翼２上の４つの作動モーメントを確認することになるということが理解できるであろう。実際の前縁及び後縁翼幅方向モーメントの値がひとたび決定され、根元つまり「内側」及び先端つまり「外側」の実際の翼弦方向モーメントの値が決定されると、これら実際モーメント値は、所望の、つまり目標の翼幅方向及び翼弦方向の作動モーメントを達成するため、即ち翼２を釣り合わせるために必要である翼−重量分布調整を決定するべく、所望の又は目標の作動モーメント値と比較される。
ここで図３を参照すると、回転翼２の概略的平面図が、翼２の翼弦方向及び翼幅方向のモーメントを計算するのに用いられる様々な基準点及び寸法と共に示されている。回転翼２は、前縁30と後縁20を有する。翼２の根元つまり内側の端部は、符号32で示され、翼２の先端つまり外側の端部は符号34で示されている。翼２のフェザリング軸は、符号36で示されている。翼２用のはかりの支点は符号９で示され（上述の開示を参照）、回転翼の回転軸は、フェザリング軸36に対して垂直である基準線38によって表わされている。
OBTE（外側後縁:outboard trailing edge）と呼称される１つのはかり点９がフェザリング軸36から後縁20に向かって距離C4のところに、そして基準線38から外側に距離r2のところに位置設定されるということが理解できる。
フェザリング軸36から前縁に向かって距離C3のところ、そして基準線38から外側に距離r2のところに、OBLE（外側前縁:outboard leading edge）と呼称されるもう１つのはかり点９が位置設定されている。IBTE（内側後縁inboard trailing edge）と呼ばれる第３のはかり点９は、フェザリング軸36から後縁20に向かって距離C2のところ、そして基準線28から外側で距離r1のところに位置設定される。第４つまり最後のはかり点９は、IBLE（内側前縁:inboard leading edge）と呼ばれ、フェザリング軸36から前縁に向かって距離C1のところ、そして基準線38から距離r1のところに位置設定される。
上述のことから、１対の前縁はかり点9IBLE、9OBLE;1対の後縁はかり点9IBTE、9OBTE;1対の内側はかり点9IBLE、9IBTE;及び１対の外側はかり点9OBLE、9OBTEが存在することがわかるだろう。これらのはかり点対における重量（Ｗ）読み取り値は、以下のように、（フェザリング軸36に対する）回転翼の実際の内側（IBM）及び外側（OBM）翼弦方向モーメントを決定するのに用いられる。
IBMchordwise＝（WIBLE）（C1）−（WIBTE）（C2）（等式１）
OBMchordwise＝（WOBLE）（C3）−（WOBTE）（C4）（等式２）
図３に示されている記号WPIB及びWPOBは、実際の内側及び外側の翼弦方向のモーメントIBMchordwise、OBMchordwiseを修正してこれらを翼２を適切に釣り合わせるのに必要とされる目標翼弦方向モーメントと適合状態にするのに使用する重量分布変更素子の一般的場所を概略的に表すのに用いられている。実際の翼弦方向モーメントIBMchordwise、OBMchordwiseがひとたび分かると、WPIB及びWPOBの同一性は、以下の等式を解くことによって決定される。
IBMchordwise±WPIB＝MCIB                （等式３）
OBMchordwise±WPOB＝MCOB                （等式４）
尚式中、MCIBは、目標内側翼弦方向モーメントであり、MCOBは外側目標翼弦方向モーメントである。
WPIB及びWPOBがひとたび分かったならば、翼に対して、必要な翼弦方向重量調整が行われる。これらの翼弦方向重量調整は、幾つかの異なる方法で行うことができる。必要な重量調整が比較的僅かである場合、これらは、必要に応じて翼（２）上で重量調整場所、WPIB及び／又はWPOBにおいて、そのうちの一方又は両方に対して適当な数の接着性フィルムシートを付加することによって行うことができる。システムマイクロプロセッサは、付加又は削除しなければならない必要重量及びかかる重量を付加又は削除すべき回転翼２上の位置を決定する。代替的には、重量分布調整が比較的大きい場合、翼を適切に釣り合わせるために、翼２の内部におかれた錘付きインサートを使用することができる。
目標内側及び外側翼弦方向モーメントMCIB、MCOBを達成するよう翼２の重量がひとたび調整されら、翼幅方向モーメントは、翼２が静的釣り合わせアセンブリ上にとどまっている間にそのフェザリング軸36に沿って翼２上の内側及び外側部域に対して重量を付加又は除去することによって、目標翼幅方向モーメントに調整される。
ここで図４を参照すると、４つの点はかり8OBTE、8OBLE、8IBTE、8IBLEを示す静的釣り合わせ装置及びはかり8OBTE、8OBLE、8IBTE、8IBLEの中に連結されたマイクロプロセッサ（MPR）の概略図が示されている。マイクロプロセッサMPRには、点はかり8OBTE、8OBLE、8IBTE、8IBLEから重量情報が供給されということが理解できるであろう。測定されたモーメントに対する支持部材14の重量の影響分は、マイクロプロセッサMPR演算ソフトウェア内ではゼロにされる既知の要因である。静的釣り合わせアセンブリ上で回転翼２に対し重量変更が行われた後、点はかり8OBTE、8OBLE、8IBTE、8IBLEは、翼２が適切に釣り合わせされたことを確認するために使用される。目標の翼弦方向及び翼幅方向のモーメントが達成された時点で、翼２は静的釣り合わせアセンブリから取り外され、新しい翼が取り付けられて上述の通りに釣り合わせが行われる。
本発明の静的釣り合わせアセンブリは、翼の動的旋回スタンド釣り合わせを省略できるように、翼弦方向及び翼幅方向の両方においてヘリコプターの回転翼を正確に釣り合わせることができるものであるが、容易に理解できるであろう。
回転翼２を静的に釣り合わせるべく上述の静的釣り合わせアセンブリ及び方法を使用することに加えて、本発明の静的釣り合わせアセンブリ及び方法は、回転翼２を含む個々の構成要素を釣り合わせるのにも使用することができる。
【図１】
0003589672.tif 000003
【図２】
0003589672.tif 000004
【図４】
0003589672.tif 000005
【図３】
0003589672.tif 000006